(57)【要約】【課題】  「表示部を帽体に確実に固定させる」ことと「表示部を帽体に容易に着脱を行う」ことを両立させ、着脱時に帽体の縁部を傷つけない画像表示装置の取付装置を提供する。【解決手段】  支持部を用いて使用者の眼球の近傍に配置される画像表示装置を帽体に着脱自在に取り付ける取付装置５００であり、下端縁辺領域の内周側面に配置される第一腕部４１と、下端縁辺領域の外周側面に配置される第二腕部４２と、下端縁辺領域の下端縁部に配置されて第一腕部４１及び第二腕部４２の両腕部間隔寸法が少なくとも帽体の下端縁辺領域の帽体肉厚寸法よりも大きい間隔寸法となるように連結する連結部４４とにより、帽体の下端縁辺領域が挿入できるように断面が略コの字形状に形成される帽体ホルダ４と、帽体の外周側面と、第二腕部４２との遊嵌間隙中に少なくとも一部が配置されて、該遊嵌間隙の寸法を離間方向に拡大させることで帽体ホルダ４を固定させる間隙拡大手段６００とを備える。【選択図】  図１
2007067497.tif 000002
【特許請求の範囲】
【請求項１】
支持部を用いて使用者の眼球の近傍に配置されて画像を表示する画像表示装置を、使用者が頭部に装着する帽体の下端縁辺領域に着脱自在に取り付ける取付装置であって、
前記下端縁辺領域の内周側面に配置される第一腕部と、前記下端縁辺領域の外周側面に配置される第二腕部と、前記下端縁辺領域の下端縁部に配置されて前記第一腕部及び前記第二腕部の両腕部間隔寸法が少なくとも前記帽体の下端縁辺領域の帽体肉厚寸法よりも大きい間隔寸法となるように連結する連結部とにより、前記帽体の下端縁辺領域が挿入できるように断面が略コの字形状に形成される帽体ホルダと、
前記帽体の外周側面と前記帽体ホルダの前記第二腕部との遊嵌間隙中に少なくとも一部が配置されて、該遊嵌間隙の寸法を離間方向に拡大させることで帽体ホルダを固定させる間隙拡大手段と
を備えることを特徴とする画像表示装置の取付装置。
【請求項２】
前記間隙拡大手段は、前記帽体ホルダに固定される
ことを特徴とする請求項１に記載の画像表示装置の取付装置。
【請求項３】
前記帽体ホルダの前記第二腕部と前記帽体の外周側面との間に、前記帽体の外周側面に沿って配置できるように形成される帽体ホルダベースをさらに備え、
前記間隙拡大手段は、前記帽体ホルダベースと前記帽体ホルダの前記第二腕部との遊嵌間隙中に少なくとも一部が配置されて、前記帽体ホルダベースに固定される
ことを特徴とする請求項１に記載の画像表示装置の取付装置。
【請求項４】
前記帽体ホルダベースは、前記遊嵌間隙中を前記連結部に達するまで延伸され、該連結部に向けて突出する支点エッジ部を有し、
前記帽体ホルダは、前記連結部における前記支点エッジ部との接線を回動軸として、回動可能に形成される
ことを特徴とする請求項３に記載の画像表示装置の取付装置。
【請求項５】
前記間隙拡大手段は、前記帽体ホルダベースに軸支されて回転運動を直線運動に変えるカム部が設けられた固定レバーを有し、該固定レバーが回動されることにより前記遊嵌間隙の寸法が離間方向に拡大される
ことを特徴とする請求項３又は４に記載の画像表示装置の取付装置。
【請求項６】
前記帽体ホルダの前記第一腕部は、少なくとも一部が弾性部材により形成される
ことを特徴とする請求項１〜５の何れかに記載の画像表示装置の取付装置。
【発明の詳細な説明】
【技術分野】
【０００１】
本発明は、画像情報をフリーハンドで使用者に提供する頭部搭載型の画像表示装置（あるいはその表示部）を、ヘルメット等の帽体に装着する取付装置に関するものである。
【背景技術】
【０００２】
従来の頭部搭載型の画像表示装置を頭部に装着する取付装置としては、例えば、帽子やサンバイザ等の帽体から日除けとして突出するつば部に、断面がＵ字形状のクリップを利用して、表示部あるいはケーブルを取付けたものがが知られている(例えば、特許文献１参照)。
【０００３】
【特許文献１】特開２００２−７２１３０(第４頁、第２図)
【発明の開示】
【発明が解決しようとする課題】
【０００４】
上記した特許文献１に示された従来の帽体のつば部への取付装置では、画像表示装置の表示部をクリップにより固定させるため、その固定を確実なものとするためにはクリップでつば部を「挟む力（例えばバネ力）を大きくする必要」がある。
一方、表示部を着脱する場合には、その挟む力に抗する力を加えて一旦クリップを広げた状態にする必要があるので、表示部のつば部への着脱を容易にするためには「挟む力（バネ力）を小さくする必要」がある。
つまり、従来の帽体のつば部への取付装置は、固定用のクリップにより挟む力について相反する課題を有している。
【０００５】
従って、従来の帽体のつば部への取付装置では、「表示部を帽体（つば部）に確実に固定させる」ことと、「表示部を帽体（つば部）に容易に着脱を行う」ことを同時に両立させることは困難であるという問題があった。
また、Ｕ字形状のクリップは、その開口側端部を帽体のつば部（特にその縁部）に摺動させながら固定されるため、表示部を帽体（つば部）に着脱させる際にクリップの開口側端部により帽体の縁部を傷つける可能性があるという問題も有している。
【０００６】
本発明の画像表示装置の取付装置は、上述のような課題を解決するためになされたもので、「表示部を帽体に確実に固定させる」ことと、「表示部を帽体に容易に着脱を行う」ことを同時に両立させることができ、表示部を帽体に着脱させる際に帽体の縁部を傷つける可能性を減少させることができる取付装置を提供することを目的とする。
【課題を解決するための手段】
【０００７】
本発明の画像表示装置の取付装置は、上記のような問題点を解決するためになされたもので、支持部を用いて使用者の眼球の近傍に配置されて画像を表示する画像表示装置を、使用者が頭部に装着する帽体に着脱自在に取り付ける取付装置であって、
下端縁辺領域の内周側面に配置される第一腕部と、下端縁辺領域の外周側面に配置される第二腕部と、下端縁辺領域の下端縁部に配置されて第一腕部及び第二腕部の両腕部間隔寸法が少なくとも帽体の下端縁辺領域の帽体肉厚寸法よりも大きい間隔寸法となるように連結する連結部とにより、帽体の下端縁辺領域が挿入できるように断面が略コの字形状に形成される帽体ホルダと、
帽体の外周側面と、帽体ホルダの第二腕部との遊嵌間隙中に少なくとも一部が配置されて、該遊嵌間隙の寸法を離間方向に拡大させることで帽体ホルダを固定させる間隙拡大手段と
を備えることを特徴とする。
【発明の効果】
【０００８】
本発明の画像表示装置の取付装置は、第一腕部及び第二腕部の両腕部間隔寸法が少なくとも帽体の下端縁辺領域の帽体肉厚寸法よりも大きい間隔寸法となるように形成される帽体ホルダと、間隙拡大手段を備え、帽体の下端縁辺領域に帽体ホルダを挿入した後に、間隙拡大手段で第二腕部を帽体の外周側面から離間させる方向へ移動させるので、「表示部を帽体に確実に固定させる」ことと、「表示部を帽体に容易に着脱を行う」ことを同時に両立させることができる。
また、表示部を帽体に着脱させる際に帽体の縁部を傷つける可能性を減少させることができる。
【発明を実施するための最良の形態】
【０００９】
実施の形態１．
図１は、本発明の実施の形態１の画像表示装置の取付装置を帽体に取り付けた場合の概略の構成を示す斜視図である。
図１において、帽体１１０は、使用者が頭部１００に装着するもので、少なくともわずかでも顔表面から外周側に離れて端縁部が設けられるか、外周側に離れる方向に突出するつば部あるいは端縁部が設けられ、そのつば部あるいは端縁部は、画像表示装置を支持するための十分な強度を有している。帽体１１０は、上記の条件を満足していれば、形状や用途が任意に選択されたものでもよく、例えば、使用者が頭部１００に装着して頭部を危険物から保護するするヘルメット、あるいは、日除けの付いたキャップ形式、サンバイザー形式のものであってもよい。
【００１０】
本実施の形態の画像表示装置１は、図１に示したように略箱形状であって、その使用者側の面には眼球１０１に向けて画像を投写する表示窓１０２が設けられている。
画像表示装置１は、後述する本実施の形態の取付装置５００から支持部２によって使用者の頭部１００の眼前に垂下され、その取付装置５００は、帽体１１０の下端縁辺領域１１０ａの近傍に固定される。支持ベース３は、帽体ホルダベース６に固定され、支持部２を保持している。
【００１１】
取付装置５００は、上記したように支持部２を用いて使用者の眼球１０１の近傍に配置されて画像を表示する画像表示装置１を、使用者が頭部１００に装着する帽体１１０の下端縁辺領域１１０ａに着脱自在に取り付けるための装置である。
【００１２】
取付装置５００については、図１を参照しつつ、図２及び図３を用いて詳細について説明する。
図２は、図１の取付装置５００を分解して示した斜視図であり、図３は、図１の取付装置５００を帽体１１０に取り付けた状態を側面から見た部分断面図である。
【００１３】
図２及び３において、帽体ホルダ４は、帽体１１０の下端縁辺領域１１０ａを挟持するための、一方の支持部となる第一腕部４１と、他方の支持部となる第二腕部４２を有して構成される。
【００１４】
帽体ホルダ４は、更に詳しくは、帽体１１０の下端縁辺領域１１０ａに固定された場合に、下端縁辺領域１１０ａの内周側面１１０ｂに配置される第一腕部４１と、下端縁辺領域１１０ａの外周側面１１０ｃに配置される第二腕部４２と、下端縁辺領域１１０ａの下端縁部１１０ｄに配置されて第一腕部４１及び第二腕部４２の両腕部間隔寸法Ｖ（Ｖについては後述する）が少なくとも帽体１１０の下端縁辺領域１１０ａの帽体肉厚寸法Ｗ（Ｗについては後述する）よりも大きい間隔寸法となるように連結する連結部４４とを有して、帽体１１０の下端縁辺領域１１０ａが挿入できるように断面が略コの字形状に形成される。
【００１５】
帽体ホルダ４の第一腕部４１は、少なくとも一部が、例えばバネのような弾性を有する弾性部材により形成され、連結部４４で、ネジ４３を用いて第二腕部４２と螺合される。
【００１６】
ホルダカバー５は、帽体ホルダ４の連結部４４及び後述する帽体ホルダベース６の外周をカバーするものである。このホルダカバー５の内周側面に帽体ホルダ４を配置してから、ネジ２１１によって帽体ホルダベース６をホルダカバー５に螺合させることで、帽体ホルダ４の第一腕部４１と第二腕部４２は、少なくともその一部が帽体ホルダベース６とホルダカバー５の間に遊嵌状態で挟持される。
この第一腕部４１と第二腕部４２の少なくとも一部が遊嵌状態で挟持されることについては、さらに詳細に後述する。
【００１７】
帽体ホルダベース６には、支持部２を取り付けるための支持ベース３が、ネジ２１０により螺合されることで固定される。帽体ホルダベース６は、帽体１１０の下端縁辺領域１１０ａの外周側面１１０ｃに密着して固定できるように、内周側面６ｂがその外周側面１１０ｃの形状と略一致する形状となるように形成される。
また、この帽体ホルダベース６は、遊嵌間隙中を連結部４４に少なくとも達するまで延伸され、連結部４４に達した端部には、その連結部４４の内周側面に向けて突出する支点エッジ部６ａを有するように形成される。
【００１８】
従って、帽体１１０の下端縁辺領域１１０ａを取付装置５００に挿入した場合、帽体ホルダベース６は、帽体１１０の下端縁辺領域１１０ａの外周側面１１０ｃに密着するように配置される。つまり、帽体ホルダベース６の内周側面６ｂは、帽体１１０の下端縁辺領域１１０ａの外周側面１１０ｃと略平行に配置されて密着されることで仮に固定される。
【００１９】
このとき、帽体ホルダベース６の連結部４４側の端部の支点エッジ部６ａは、帽体ホルダ４の連結部４４の屈曲部内周側面４２ｃに当接する。帽体ホルダベース６とホルダカバー５の間で遊嵌挟持される帽体ホルダ４は、この支点エッジ部６ａと屈曲部内周側面４２ｃとが当接する接線を第一の回動軸７（支点）として、その第一の回動軸７を中心に軸支されることで、遊嵌挟持される所定範囲内ではあるが、図中に矢印Ｒで示す回転方向に自在に回動が可能であるように形成される。
遊嵌挟持される所定範囲内ということは、帽体ホルダ４が矢印Ｒ方向に所定の回転角以上に回転すると、帽体ホルダベース６の外表面またはホルダカバー５の内周側面に当接するよう配置されているので、所定の範囲内で回動が自在になるということである。
【００２０】
次に、間隙拡大手段６００について詳細に説明する。本実施の形態では、帽体ホルダ４の第二腕部４２と帽体１１０の外周側面１１０ｃとの間に、帽体１１０の外周側面１１０ｃに沿って配置できるように形成される帽体ホルダベース６を設け、間隙拡大手段６００は、その帽体ホルダベース６と帽体ホルダ４の第二腕部４２との遊嵌間隙中に少なくとも一部が配置されて、帽体ホルダ４の第二腕部４２と帽体ホルダベース６との遊嵌間隙の寸法を離間方向に拡大させることで、第一腕部４１により帽体１１０の下端縁辺領域１１０ａの内周側面１１０ｂを押圧させて、帽体ホルダ４を帽体１１０に固定させるようにしている。
【００２１】
支持ベース３は、ネジ２１０によって帽体ホルダベース６に螺合されて固定されており、支持部２を保持すると共に、後述する固定レバー１０を略水平に軸支するためのシャフト１１を支持する貫通孔を有している。シャフト１１は、第二の回動軸８となっている。ブッシュ２０４及び２０５は、シャフト１１が軸受けとなるように支持ベース３に圧入されるブッシュである。
【００２２】
シャフト１１はその両端にネジ穴を有しており、固定レバー１０と支持ベース３およびブッシュ２０４、２０５、ワッシャ２０１、２０３をそれぞれ貫通して、ネジ２００、２０２によって両端で螺合される。このとき固定レバー１０のカム部１０ａとカム部１０ｂの間の内寸（カム間隔)は、シャフト８の全長と同等の寸法を有しており、支持ベース３の貫通孔の両端に圧入されたブッシュ２０４、２０５の間隔よりもわずかに寸法が大きくなるように構成しているので、ネジ２００、２０２による軸方向（シャフト１１の）の締結力が支持ベース３に伝わることはない。従って、間隙拡大手段６００の固定レバー１０は、第二の回動軸８を中心に矢印Ｑの方向への回転が自在である。
【００２３】
尚、間隙拡大手段６００は、例えば帽体ホルダ４の第二腕部４２に配置させた場合には、帽体ホルダ４の第二腕部４２と帽体１１０の外周側面１１０ｃとの遊嵌間隙の寸法を離間方向に拡大させることで、同様に第一腕部４１により帽体１１０の下端縁辺領域１１０ａの内周側面１１０ｂを押圧させて、帽体ホルダ４を帽体１１０に固定させることもできる。
【００２４】
本実施の形態では、帽体１１０の外周側面１１０ｃに沿って配置できるように形成される帽体ホルダベース６を設け、帽体ホルダベース６に間隙拡大手段６００を配置させることで、画像表示装置１（表示部）を帽体１１０に着脱させる際に帽体１１０の下端縁辺領域１１０ａを傷つける可能性を減少させることができる。
【００２５】
次に、間隙拡大手段６００の構成について更に説明する。間隙拡大手段６００は、帽体ホルダベース６に軸支された固定レバー１０を有し、固定レバー１０には回転運動を直線運動に変えるカム部１０ａ及び１０ｂが設けられている。カム部１０ａは帽体ホルダ４の第二腕部４２の軌道部４２ａと当接し、カム部１０ｂは軌道部４２ｂと当接する。軌道部４２ａ及び軌道部４２ｂは、第二腕部４２の連結部４４側から終端部側に向かって、第一の回動軸７からの距離寸法が漸減するように形成されている。
【００２６】
カム部１０ａにおける軌道部４２ａとの接点部から第一の回動軸７までの距離、及び、カム部１０ｂにおける軌道部４２ｂとの接点部から第一の回動軸７までの距離は固定値である。従って、固定レバー１０が回動されることにより、帽体ホルダベース６は第二腕部４２から離間する方向に押圧されることから、遊嵌間隙の寸法も離間方向に拡大される。その結果、第一腕部４１により帽体１１０の下端縁辺領域１１０ａの内周側面１１０ｂが押圧されるので、帽体ホルダ４が帽体１１０に固定される。
【００２７】
次に図１の取付装置を帽体１１０に取付ける場合の動作について、図１〜３を参照しつつ以下の図面を用いて説明する。
図４は図１の取付装置を帽体１１０に取付ける前の状態を側面から見た部分断面図であり、図５は図１の取付装置を帽体１１０に取付けるために帽体１１０の下端縁辺領域に被せた状態を側面から見た部分断面図であり、図６は図１の取付装置を帽体１１０に取付けるために固定レバーを回動させる途中の状態を側面から見た部分断面図であり、図７は図１の取付装置を帽体１１０に取付けるための固定レバーを回動させ終わった状態を側面から見た部分断面図である。
【００２８】
まず、図４に示すように、帽体１１０の下端縁辺領域１１０ａの下端縁部１１０ｄを、取付装置５００の帽体ホルダ４の断面が略コの字形状の開口側から挿入できる位置に配置する。この際には、図４に示されるように、帽体１１０の下端縁辺領域１１０ａの肉厚寸法である帽体肉厚寸法Ｗよりも、取付装置５００の帽体ホルダ４を構成する第一腕部４１と第二腕部４２との間の両腕部間隔寸法Ｖ０の方が大きくなっている。つまり、Ｗ＜Ｖ０の関係が成り立っている。したがって、帽体１１０の外周側面１１０ｃに沿うように、取付装置５００の帽体ホルダベース６の下面を図４中に矢印Ｐで示した方向にスライドさせることで、取付装置５００を帽体１１０の下端縁辺領域１１０ａに挿入させて配置することができる。
【００２９】
このときの固定レバー１０は、図４に示すように、カム部１０ａおよび１０ｂと、帽体ホルダ４の軌道部４２ａおよび４２ｂとが当接しないように、帽体１１０の下端縁辺領域１１０ａに平行な位置からは最も離れた位置としている。図面上では略水平となる位置になっているが、カム部１０ａおよび１０ｂと、帽体ホルダ４の軌道部４２ａおよび４２ｂとが当接しなければ、他の任意の位置としてもよい。
【００３０】
また、図５に示すように、帽体ホルダベース６の内周側面６ｂは、帽体１１０の下端縁辺領域１１０ａの外周側面１１０ｃと略一致する形状になっているので、帽体１１０の下端縁辺領域１１０ａおよび外周側面１１０ｃで密着することになる。
【００３１】
さらに、図５に示した固定レバー１０を、図６に示すように、矢印Ｑ１で示す方向に回転させていくと、固定レバー１０のカム部１０ａ及び１０ｂが、帽体ホルダ４の軌道部４２ａ及び軌道部４２ｂに当接していない状態から当接し始める。すると、帽体ホルダベース６は、第二腕部４２から離間する方向に押圧されるので、遊嵌間隙の寸法も離間方向に拡大される。
このとき、帽体ホルダ４は、帽体ホルダベース６とホルダカバー５の間で遊嵌挟持されると共に、図中矢印Ｒ方向に所定範囲内で自在に回動可能であるように第一の回動軸７を中心に軸支されている。従って、帽体ホルダ４は、第一の回動軸７を中心として図中矢印Ｒ１で示す方向に回転する。
【００３２】
つまり、固定レバー１０を矢印Ｑ１方向に回動させることにより、帽体ホルダ４は、帽体１１０の外周側面１１０ｃから第一の回動軸７を中心にして図中に矢印Ｒで示す回転方向に回動し、第二腕部４２は外周側面１１０ｃ（あるいは帽体ホルダベース６）から離間する。
【００３３】
一方、帽体ホルダ４の第一腕部４１は、図５に示された時点では帽体１１０の内周側面１１０ｂから少し離れて配置されていたものが、上記した帽体ホルダ４の第二腕部４２が離間する動作では、帽体ホルダ４自体が第一の回動軸７を中心にＲ１方向に回転した結果、第一腕部４１も、帽体１１０の下端縁辺領域１１０ａの内周側面１１０ｂに近接することになる。
【００３４】
図６〜図７に示すように、帽体ホルダ４が第一の回動軸７を中心にして図中に矢印Ｒで示す回転方向に回動する動作が所定の回転量に達したときに、第一腕部４１は帽体１１０の下端縁辺領域１１０ａ内周側面１１０ｂに当接する。
ここで、さらに固定レバー１０を矢印Ｑ１方向に回転させることで、帽体ホルダ４の第二腕部４２はさらに回動により離間する。その一方で第一腕部４１は、帽体１１０の下端縁辺領域１１０ａの内周側面１１０ｂをさらに押圧する。
本実施の形態１では、帽体ホルダ４の第一腕部４１は弾性を有する弾性部材により構成されているので、固定レバー１０の回転動作によって所定の押圧力にて帽体１１０を押圧することができる。
【００３５】
さらに、固定レバー１０を矢印Ｑ１方向に回転させ続けると、図７に示すように、帽体１１０の外周側面１１０ｃに当接して停止する。
帽体ホルダ４の軌道部４２ａ(４２ｂ)と固定レバー１０のカム部１０ａ(１０ｂ)は、固定レバー１０が停止する直前の位置で帽体１１０の外周側面１１０ｃから最大距離に離間するように構成されている。従って、固定レバー１０が帽体１１０の外周側面１１０ｃに当接して停止するときには、第一腕部４１の弾性部材から受ける力が固定レバー１０を帽体１１０の外周側面１１０ｃに押し付ける方向に働く。
本実施の形態の固定レバー１０は、固定時には帽体１１０の外周側面１１０ｃと略一致する形状に形成されているので、第一腕部４１から受けた力により、帽体１１０外周側面１１０ｃに密着することになる。
【００３６】
このように、本実施の形態の画像表示装置の取付装置では、帽体ホルダ４の第一腕部４１及び第二腕部４２の両腕部間隔寸法Ｖが少なくとも帽体１１０の下端縁辺領域１１０ａの帽体肉厚寸法Ｗよりも大きい間隔寸法となるように形成されるので、画像表示装置１（表示部）を帽体１１０へ容易に着脱させることができ、さらに、画像表示装置１を帽体１１０に着脱させる際に帽体ホルダ４の第一腕部４１および第二腕部４２が帽体１１０の縁部と摺動することがなくなるため、帽体１１０を傷つける可能性を減少させることができる。
また、間隙拡大手段６００を備え、帽体ホルダ４の第二腕部４２を帽体１１０の外周側面１１０ｃから離間させる方向に移動させるので、帽体ホルダ４の第一腕部４１が帽体１１０の内周側面１１０ｂを押圧して確実に固定することができる。
従って、本実施の形態の画像表示装置の取付装置では、「表示部を帽体１１０に確実に固定させる」ことと、「表示部を帽体１１０に容易に着脱を行う」ことを同時に両立させることができる。
【００３７】
また、帽体ホルダベース６の内周側面６ｂは、帽体１１０外周側面１１０ｃと略一致する形状に形成されており、帽体ホルダベース６に螺合されるホルダカバー５は、帽体１１０の下端縁辺領域１１０ａからわずかにしか突出しないように形成されており、帽体ホルダ４の第一腕部４１は、帽体１１０の内周側面１１０ｂに略密着して押圧するので、帽体１１０の下端縁辺領域１１０ａにおいて使用者の眼球１０１の前に突出する部材がなくなるので、使用者の頭部１００の視界をさえぎるものがないことから、良好な視界を確保でき、画像表示装置１を帽体１１０に取り付けた時の使用者の安全性を向上させることができる。
【産業上の利用可能性】
【００３８】
本発明の画像表示装置の取付装置を活用する例としては、例えば、画像情報を参照しながらプラントや装置の設置や保守点検を行う時には、その作業者はヘルメットを着用すると共に、作業者の両手をフリーにして画像情報を提供するためにヘッドマウントディスプレイ装置を用いると便利であるが、その場合のヘッドマウントディスプレイ装置をヘルメットに取り付ける場合等に適用することができる。
【図面の簡単な説明】
【００３９】
【図１】本発明の実施の形態１の画像表示装置の取付装置を帽体に取り付けた場合の概略の構成を示す斜視図である。
【図２】図１の取付装置を分解して示した斜視図である。
【図３】図１の取付装置を帽体に取り付けた状態を側面から見た部分断面図である。
【図４】図１の取付装置を帽体に取付ける前の状態を側面から見た部分断面図である。
【図５】図１の取付装置を帽体に取付けるために帽体の下端縁辺領域に被せた状態を側面から見た部分断面図である。
【図６】図１の取付装置を帽体に取付けるために固定レバーを回動させる途中の状態を側面から見た部分断面図である。
【図７】図１の取付装置を帽体に取付けるための固定レバーを回動させ終わった状態を側面から見た部分断面図である。
【符号の説明】
【００４０】
１  画像表示装置、  ２  支持部、  ３  支持ベース、  ４  帽体ホルダ、  ５  ホルダカバー、  ６  帽体ホルダベース、  ６ａ  支点エッジ部、  ７  第一の回動軸、  ８  第二の回動軸、  １０  固定レバー、  １０ａ、１０ｂ  カム部、  ４１  第一腕部、  ４２  第二腕部、  ４２ａ、４２ｂ  軌道部、  ４２ｃ  屈曲部内周側面、  ４３  ネジ、  ４４  連結部、  １００  （使用者の）頭部、  １０１  （使用者の）眼球、  １０２  表示窓、  １１０  帽体（ヘルメット）、  １１０ａ  下端縁辺領域、  １１０ｂ  内周側面、  １１０ｃ  外周側面、  １１０ｄ  下端縁部、  ５００  取付装置、  ６００  間隙拡大手段、  Ｖ  両腕部間隔寸法、  Ｗ  帽体肉厚寸法。
【図１】
2007067497.tif 000003
【図２】
2007067497.tif 000004
【図３】
2007067497.tif 000005
【図４】
2007067497.tif 000006
【図５】
2007067497.tif 000007
【図６】
2007067497.tif 000008
【図７】
2007067497.tif 000009